(57)【要約】【課題】効率的かつ経路ＭＴＵの変化に迅速に対応可能な経路ＭＴＵ探索を行うことができるパケット通信システムにおけるノード等及び経路ＭＴＵ探索方法を提供することを課題とする。【解決手段】パケット通信システム１において、通信ノード（ＣＮ２）が送信するパケットの宛先のノード（ＭＮ３）であって、通信ノードから宛先のノードに至る経路Ｂ上の各ノード（ＭＡＰ１２〜１４）に接続するリンクのリンクＭＴＵの通知を受信するリンクＭＴＵ通知受信手段と、リンクＭＴＵ通知受信手段で受信したリンクＭＴＵの中から経路ＢのＭＴＵを設定する経路ＭＴＵ設定手段と、経路ＭＴＵ設定手段で設定した経路ＭＴＵに基づいて経路ＭＴＵの探索を実行するか否かを判定する経路ＭＴＵ探索実行判定手段と、経路ＭＴＵ設定手段で設定した経路ＭＴＵを通信ノードに通知する経路ＭＴＵ通知手段とを備えることを特徴とする。【選択図】　図１
2004048181.tif 000002
【特許請求の範囲】
【請求項１】
ノード及びリンクから構成されるパケット通信システムにおいて、通信ノードが送信するパケットの宛先のノードであって、
前記通信ノードから前記宛先のノードに至る経路上の各ノードに接続するリンクのリンクＭＴＵの通知を受信するリンクＭＴＵ通知受信手段と、
前記リンクＭＴＵ通知受信手段で受信したリンクＭＴＵの中から、前記通信ノードから前記宛先のノードに至る経路の経路ＭＴＵを設定する経路ＭＴＵ設定手段と、
前記経路ＭＴＵ設定手段で設定した経路ＭＴＵに基づいて、経路ＭＴＵの探索を実行するか否かを判定する経路ＭＴＵ探索実行判定手段と、
前記経路ＭＴＵ設定手段で設定した経路ＭＴＵを通知する経路ＭＴＵ通知手段と
を備えることを特徴とするパケット通信システムにおけるノード。
【請求項２】
前記宛先のノードは、前記パケット通信システム内を移動可能な移動ノードであり、
前記リンクＭＴＵ通知受信手段では、前記通信ノードから前記移動ノードに至る経路上に存在するとともに前記移動ノードのローカルな移動を管理するモビリティアンカポイントのリンクＭＴＵを検索すること
を特徴とする請求項１に記載するパケット通信システムにおけるノード。
【請求項３】
前記リンクＭＴＵ通知受信手段では、モビリティアンカポイントからのリンクＭＴＵの通知により、前記経路上に存在するモビリティアンカポイントのリンクＭＴＵを検索し、
前記経路ＭＴＵ設定手段では、前記リンクＭＴＵ通知受信手段で検索したモビリティアンカポイントのリンクＭＴＵの中で最小値のリンクＭＴＵを経路ＭＴＵと設定し、
前記経路ＭＴＵ探索実行判定手段では、前記移動ノードの移動前後における各経路ＭＴＵを比較し、移動前後で経路ＭＴＵが異なる場合に経路ＭＴＵの探索を実行すると判定し、
前記経路ＭＴＵ通知手段では、前記経路ＭＴＵ設定手段で設定した経路ＭＴＵをバインディングアップデートメッセージにより通知すること
を特徴とする請求項２に記載するパケット通信システムにおけるノード。
【請求項４】
ノード及びリンクから構成されるパケット通信システムにおいて、請求項１〜３のいずれか１項に記載するノードにパケットを送信する通信ノードであって、
前記経路ＭＴＵ通知手段から通知された経路ＭＴＵに基づいて、自身が保持する経路ＭＴＵを更新すること
を特徴とするパケット通信システムにおける通信ノード。
【請求項５】
ノード及びリンクから構成されるパケット通信システムにおいて、請求項２又は３に記載する移動ノードにパケットを送信する通信ノードであって、
前記移動ノードが移動して接続先を変更した場合、前記経路ＭＴＵ通知手段から通知された経路ＭＴＵに基づいて自身が保持する経路ＭＴＵを更新し、その更新した経路ＭＴＵに基づいてパケットサイズを変更し、変更したパケットサイズからなるパケットを移動ノード宛に送信すること
を特徴とするパケット通信システムにおける通信ノード。
【請求項６】
ノード及びリンクから構成されるパケット通信システムにおいて、請求項２又は３に記載する移動ノードのローカルな移動を管理するモビリティアンカポイントであって、
前記モビリティアンカポイントに接続するリンクのリンクＭＴＵを前記移動ノードに通知するリンクＭＴＵ通知手段
を備えることを特徴とするパケット通信システムにおけるモビリティアンカポイント。
【請求項７】
前記リンクＭＴＵ通知手段では、前記移動ノードから送信されたバインディングアップデートメッセージに対する確認メッセージに前記リンクＭＴＵを付加して通知すること
を特徴する請求項６に記載するパケット通信システムにおけるモビリティアンカポイント。
【請求項８】
ノード及びリンクから構成されるパケット通信システムにおいて、請求項２又は３に記載する移動ノードのグローバルな移動を管理するホームエージェントであって、
前記ホームエージェントが前記通信ノードから前記移動ノードに至る経路上に存在するか否か判定する経路上存在判定手段と、
前記ホームエージェントに接続するリンクのリンクＭＴＵに基づいて、前記通信ノードから前記移動ノードに至る経路の経路ＭＴＵを設定する経路ＭＴＵ設定手段と、
前記経路ＭＴＵ設定手段で設定した経路ＭＴＵを前記通信ノードに通知する経路ＭＴＵ通知手段と
を備えることを特徴とするパケット通信システムにおけるホームエージェント。
【請求項９】
前記経路ＭＴＵ設定手段では、前記移動ノードから通知された経路ＭＴＵに基づいて、経路ＭＴＵを再設定し、
前記経路ＭＴＵ通知手段では、前記経路ＭＴＵ設定手段で設定した経路ＭＴＵを含むＩＣＭＰ　Ｐａｃｋｅｔ　Ｔｏｏ　Ｂｉｇメッセージを前記通信ノードに送信すること
を特徴とする請求項８に記載するパケット通信システムにおけるホームエージェント。
【請求項１０】
ノード及びリンクから構成されるパケット通信システムであって、
通信ノードが送信するパケットの宛先のノードは、
前記通信ノードから前記宛先のノードに至る経路上の各ノードに接続するリンクのリンクＭＴＵの通知を受信するリンクＭＴＵ通知受信手段と、
前記リンクＭＴＵ通知受信手段で受信したリンクＭＴＵの中から、前記通信ノードから前記宛先のノードに至る経路の経路ＭＴＵを設定する経路ＭＴＵ設定手段と、
前記経路ＭＴＵ設定手段で設定した経路ＭＴＵに基づいて、経路ＭＴＵの探索を実行するか否かを判定する経路ＭＴＵ探索実行判定手段と、
前記経路ＭＴＵ設定手段で設定した経路ＭＴＵを通知する経路ＭＴＵ通知手段と
を備え、
前記通信ノードは、前記経路ＭＴＵ通知手段から通知された経路ＭＴＵに基づいて、自身が保持する経路ＭＴＵを更新すること
を特徴とするパケット通信システム。
【請求項１１】
ノード及びリンクから構成されるパケット通信システムにおいて、通信ノードが送信するパケットの宛先のノードでの経路ＭＴＵ探索方法であって、
前記通信ノードから前記宛先のノードに至る経路上の各ノードに接続するリンクのリンクＭＴＵの通知を受信するリンクＭＴＵ通知受信工程と、
前記リンクＭＴＵ通知受信工程で受信したリンクＭＴＵの中から、前記通信ノードから前記宛先のノードに至る経路の経路ＭＴＵを設定する経路ＭＴＵ設定工程と、
前記経路ＭＴＵ設定工程で設定した経路ＭＴＵに基づいて、経路ＭＴＵの探索を実行するか否かを判定する経路ＭＴＵ探索実行判定工程と、
前記経路ＭＴＵ設定工程で設定した経路ＭＴＵを通知する経路ＭＴＵ通知工程と
を含むことを特徴とするパケット通信システムにおけるノードでの経路ＭＴＵ探索方法。
【請求項１２】
前記宛先のノードは、前記パケット通信システム内を移動可能な移動ノードであり、
前記リンクＭＴＵ通知受信工程では、前記移動ノードのローカルな移動を管理するモビリティアンカポイントからのリンクＭＴＵの通知により、前記通信ノードから前記移動ノードに至る経路上に存在するモビリティアンカポイントのリンクＭＴＵを検索し、
前記経路ＭＴＵ設定工程では、前記リンクＭＴＵ通知受信工程で検索したモビリティアンカポイントのリンクＭＴＵの中で最小値のリンクＭＴＵを経路ＭＴＵと設定し、
前記経路ＭＴＵ探索実行判定工程では、前記移動ノードの移動前後における各経路ＭＴＵを比較し、移動前後で経路ＭＴＵが異なる場合に経路ＭＴＵの探索を実行すると判定し、
前記経路ＭＴＵ通知工程では、前記経路ＭＴＵ設定工程で設定した経路ＭＴＵをバインディングアップデートメッセージにより通知すること
を特徴とする請求項１１に記載するパケット通信システムにおけるノードでの経路ＭＴＵ探索方法。
【請求項１３】
ノード及びリンクから構成されるパケット通信システムにおいて、請求項１１又は１２に記載する経路ＭＴＵ探索方法により経路ＭＴＵを通知可能なノードにパケットを送信する通信ノードでの経路ＭＴＵ探索方法であって、
前記経路ＭＴＵ通知工程から通知された経路ＭＴＵに基づいて、自身が保持する経路ＭＴＵを更新する経路ＭＴＵ更新工程
を含むことを特徴するパケット通信システムにおける通信ノードでの経路ＭＴＵ探索方法。
【請求項１４】
ノード及びリンクから構成されるパケット通信システムにおいて、請求項１２に記載する経路ＭＴＵ探索方法により経路ＭＴＵを通知可能な移動ノードにパケットを送信する通信ノードでの経路ＭＴＵ探索方法であって、
前記移動ノードが移動して接続先を変更した場合、前記経路ＭＴＵ通知工程から通知された経路ＭＴＵに基づいて自身が保持する経路ＭＴＵを更新する経路ＭＴＵ更新工程と、
前記経路ＭＴＵ更新工程で更新した経路ＭＴＵに基づいてパケットのサイズを変更するパケットサイズ変更工程と、
前記パケットサイズ変更工程で変更したパケットサイズからなるパケットを移動ノード宛に送信するパケット送信工程と
を含むことを特徴するパケット通信システムにおける通信ノードでの経路ＭＴＵ探索方法。
【請求項１５】
ノード及びリンクから構成されるパケット通信システムにおいて、請求項１２に記載する経路ＭＴＵ探索方法により経路ＭＴＵを通知可能な移動ノードのローカルな移動を管理するモビリティアンカポイントでの経路ＭＴＵ探索方法であって、
前記モビリティアンカポイントに接続するリンクのリンクＭＴＵを前記移動ノードに通知するリンクＭＴＵ通知工程
を含むことを特徴とするパケット通信システムにおけるモビリティアンカポイントでの経路ＭＴＵ探索方法。
【請求項１６】
ノード及びリンクから構成されるパケット通信システムにおいて、請求項１２に記載する経路ＭＴＵ探索方法により経路ＭＴＵを通知可能な移動ノードのグローバルな移動を管理するホームエージェントでの経路ＭＴＵ探索方法であって、
前記ホームエージェントが前記通信ノードから前記移動ノードに至る経路上に存在するか否か判定する経路上存在判定工程と、
前記移動ノードから通知された経路ＭＴＵ及び前記ホームエージェントに接続するリンクのリンクＭＴＵに基づいて、前記通信ノードから前記移動ノードに至る経路の経路ＭＴＵを設定する経路ＭＴＵ設定工程と、
前記経路ＭＴＵ設定工程で設定した経路ＭＴＵを前記通信ノードに通知する経路ＭＴＵ通知工程と
を含むことを特徴とするパケット通信システムにおけるホームエージェントでの経路ＭＴＵ探索方法。
【発明の詳細な説明】
【０００１】
【発明の属する技術分野】
本発明は、ノード及びリンクから構成されるパケット通信システムにおけるノード、通信ノード、モビリティアンカポイント、ホームエージェント及びパケット通信システム並びに経路ＭＴＵ探索方法に関する。
【０００２】
【従来の技術】
ＩＰ［Ｉｎｔｅｒｎｅｔ　Ｐｒｏｔｏｃｏｌ］ネットワークは、ノードとノード間を直接接続するリンクの集合からなる。ノードは、コンピュータやコンピュータ間の通信を中継するルータ等の総称である。リンクは、イーサネット（Ｒ）、ＦＤＤＩ［Ｆｉｂｅｒ　Ｄｉｓｔｒｉｂｕｔｅｄ　Ｄａｔｅ　Ｉｎｔｅｒｆａｃｅ］、ＡＴＭ［Ａｓｙｎｃｈｒｏｎｏｕｓ　Ｔｒａｎｓｆｅｒ　Ｍｏｄｅ］等複数存在する。ＩＰネットワークでは、これら複数のリンクが混在しているため、データ通信を行う際に送信元（通信相手）のノードから宛先のノードに至る経路上には異なる種類のリンクが存在している。
【０００３】
データをパケット単位で通信するパケット通信システムでは、リンク毎にＩＰパケットにおける最大伝送単位であるＭＴＵ［Ｍａｘｉｍｕｍ　Ｔｒａｎｓｍｉｓｓｉｏｎ　Ｕｎｉｔ］が定められており、このリンク毎のＭＴＵをリンクＭＴＵと呼ぶ。リンクＭＴＵはリンクによって異なるので、経路の途中で送信中のＩＰパケットのパケットサイズよりもリンクＭＴＵが小さい場合には、そのパケットを転送できなくなるという問題がある。この問題を回避するために、ＩＰ層では、リンクＭＴＵの小さいリンクには、ＩＰパケットを分割してパケットを転送している。しかし、ＩＰパケットを分割化した場合、その分割化したパケットが１つでも失われると、元のＩＰパケットを再生することができないので、ＩＰパケット全てが失われたことになる。これを避けるために、ＴＣＰ［Ｔｒａｎｓｍｉｓｓｉｏｎ　Ｃｏｎｔｒｏｌ　Ｐｒｏｔｏｃｏｌ］では、パケットが分割されないような小さなサイズでパケットを送信しているが、その結果、ネットワークの伝送効率が悪化してしまう。これに対処するために、ＩＥＴＦ［Ｉｎｔｅｒｎｅｔ　Ｅｎｇｉｎｅｅｒｉｎｇ　Ｔａｓｋ　Ｆｏｒｃｅ］では、送信元のノードから宛先のノードに至る経路上に存在するリンクの最小のリンクＭＴＵ（すなわち、経路ＭＴＵ）でパケットを送信する方法及び経路ＭＴＵを探索するための方法がＲＦＣ［Ｒｅｑｕｅｓｔ　Ｆｏｒ　Ｃｏｍｍｅｎｔｓ］で標準化されている。
【０００４】
【課題を解決しようとする課題】
図１４を参照して、パケット通信システム１０１において、（ＲＦＣ１９８１）「Ｐａｔｈ　ＭＴＵ　Ｄｉｓｃｏｖｅｒｙ　ｆｏｒ　ＩＰ　ｖｅｒｓｉｏｎ６」で標準化されている経路ＭＴＵ探索を行ったときの動作について説明する。ここでは、パケット通信システム１０１において、通信相手のノード（以下、ＣＮ［Ｃｏｒｒｅｓｐｏｎｄｅｎｔ　Ｎｏｄｅ］と記載する）１０２から宛先のノードとして移動ノード（以下、ＭＮ［Ｍｏｂｉｌｅ　Ｎｏｄｅ］と記載する）１０３にパケットを送信する場合について説明する。ＭＮ１０３は、ＩＰネットワーク内を移動するためのモビリティ制御機能を有する。
【０００５】
まず、ＭＮ１０３が移動して接続先としてアクセスルータ（以下、ＡＲ［Ａｃｃｅｓｓ　Ｒｏｕｔｅｒ］と記載する）１２１からＡＲ１２２に変えたために、経路ＭＴＵが減少した場合について説明する。ＭＮ１０３が接続先であるＡＲ１２１配下でＣＮ１０２と経路Ａを確立して通信を行い、ＣＮ１０２がＭＮ１０３に向けて経路Ａの経路ＭＴＵ４３５２バイトの大きさのＩＰパケットを送信している。このとき、ＭＮ１０３が移動して接続先としてＡＲ１２２に切り替え、ＡＲ１２２配下に移動して経路Ｂを確立したとする。この際、ＣＮ１０２では、ＭＮ１０３がＡＲ１２２配下に移動後も、ＭＮ１０３に対して４３５２バイトのＩＰパケットを送信し続ける。
【０００６】
しかし、経路Ｂ上のルータ１１３より先のリンクのリンクＭＴＵが１５００バイトのため、ルータ１１３より先にＩＰパケットを送信することができないのでＩＰパケットが破棄される。そこで、ルータ１１３では、ＩＰパケットの送信先であるＣＮ１０２に対してＩＣＭＰ［Ｉｎｔｅｒｎｅｔ　Ｃｏｎｔｒｏｌ　Ｍｅｓｓａｇｅ　Ｐｒｏｔｏｃｏｌ］　　Ｐａｃｋｅｔ　Ｔｏｏ　Ｂｉｇメッセージ（以下、ＩＣＭＰＰＴＢメッセージと記載する）を送信し、ルータ１１３より先のリンクＭＴＵが１５００バイトであることを通知する。その通知を受信したＣＮ１０２では、通知されたリンクＭＴＵに基づいて経路ＭＴＵ探索を行い、自身が保持している経路ＭＴＵの値を１５００バイトに更新する。更新後、ＣＮ１０２では、ＭＮ１０３宛のＩＰパケットのパケットサイズを１５００バイトに変更し、破棄されたＩＰパケットを再送する。しかし、ルータ１１４より先のリンクＭＴＵが５７６バイトであるため、ルータ１１４より先にＩＰパケットを送信することができないのでＩＰパケットが破棄される。そこで、ルータ１１４では、ＩＰパケットの送信先であるＣＮ１０２に対してＩＣＭＰＰＴＢメッセージを送信し、ルータ１１４より先のリンクＭＴＵが５７６バイトであることを通知する。その通知を受信したＣＮ１０２では、再度、通知されたリンクＭＴＵに基づいて経路ＭＴＵ探索を行い、自身が保持している経路ＭＴＵの値を５７６バイトに更新する。更新後、ＣＮ１０２では、ＭＮ１０３宛のＩＰパケットのパケットサイズを５７６バイトに変更し、破棄されたＩＰパケットを再送する。以上のプロセスにより、移動後のＭＮ１０３に対してＩＰパケットが到達する。つまり、経路Ｂが切り替わった後、ＣＮ１０２で経路ＭＴＵ探索を２回行わないと、ＩＰパケットをＭＮ１０３まで送信することができない。
【０００７】
次に、ＭＮ１０３が移動して接続先としてＡＲ１２２からＡＲ１２１に変えたために、経路ＭＴＵが増加した場合について説明する。ＭＮ１０３が接続先であるＡＲ１２２配下でＣＮ１０２と経路Ｂを確立して通信を行い、ＣＮ１０２がＭＮ１０３に向けて経路Ｂの経路ＭＴＵ５７６バイトの大きさのＩＰパケットを送信している。このとき、ＭＮ１０３が移動して接続先としてＡＲ１２１に切り替え、ＡＲ１２１配下に移動して経路Ａを確立したとする。この場合、経路Ａの経路ＭＴＵが４３５２バイトであるため、経路Ｂの経路ＭＴＵ（５７６バイト）から増加している。しかし、ＩＥＴＦで標準化されている経路ＭＴＵ探索方法では、前回の経路ＭＴＵ探索終了後１０分間経過した後に、ＣＮ１０２では、保持している経路ＭＴＵをＣＮ１０２からＭＮ１０３宛にＩＰパケットを送信する際の次のホップへの送信インタフェースが接続しているリンクのリンクＭＴＵに基づいて再び経路ＭＴＵ探索を行っている。この再探索によって、ＣＮ１０２では経路ＭＴＵの増加に対応している。したがって、経路Ａに切り替わって経路ＭＴＵが４３５２バイトに増加しても、前回の経路ＭＴＵ探索終了後１０分間経過しない間は、経路Ｂのときに保持していた経路ＭＴＵ５７６バイトでＩＰパケットを送信し続ける。そのため、経路Ａでは４３５２バイトのパケットサイズでＩＰパケットを伝送できるにもかかわらず、前回の経路ＭＴＵ探索終了後から１０分間は５７６バイトのパケットサイズでＩＰパケットを伝送することになるので、伝送効率が悪い。
【０００８】
つまり、ＩＥＴＦで標準化されている経路ＭＴＵ探索方法では、以下の問題がある。その一つとして、経路上に異なるＭＴＵを持つリンクが存在した場合、最終的な経路ＭＴＵを探索するまでの経路ＭＴＵ探索回数が多くなる。さらに、経路ＭＴＵ探索終了後１０分経過しないと新たに探索を行わないので、ＭＮが移動して経路上の経路ＭＴＵが増減した場合に迅速に対応できない。
【０００９】
そこで、本発明は、効率的かつ経路ＭＴＵの変化に迅速に対応可能な経路ＭＴＵ探索を行うことができるパケット通信システムにおけるノード、通信ノード、モビリティアンカポイント、ホームエージェント及びパケット通信システム並びに経路ＭＴＵ探索方法を提供することを課題とする。
【００１０】
【課題を解決するための手段】
本発明に係るパケット通信システムにおけるノードは、ノード及びリンクから構成されるパケット通信システムにおいて、通信ノードが送信するパケットの宛先のノードであって、通信ノードから宛先のノードに至る経路上の各ノードに接続するリンクのリンクＭＴＵの通知を受信するリンクＭＴＵ通知受信手段と、リンクＭＴＵ通知受信手段で受信したリンクＭＴＵの中から通信ノードから宛先のノードに至る経路の経路ＭＴＵを設定する経路ＭＴＵ設定手段と、経路ＭＴＵ設定手段で設定した経路ＭＴＵに基づいて経路ＭＴＵの探索を実行するか否かを判定する経路ＭＴＵ探索実行判定手段と、経路ＭＴＵ設定手段で設定した経路ＭＴＵを通知する経路ＭＴＵ通知手段とを備えることを特徴とする。
【００１１】
このパケット通信システムにおけるノードによれば、経路上のノードからリンクＭＴＵの情報を収集し、その収集したリンクＭＴＵによって経路ＭＴＵを設定する。そして、宛先のノードでは、その設定した経路ＭＴＵに基づいて経路ＭＴＵ探索の必要性を判定し、必要な場合には設定した経路ＭＴＵを通信ノードに通知する。そのため、通信ノードでは、経路上に異なるＭＴＵを持つリンクが多数存在しても、その通知された経路ＭＴＵにより保持している経路ＭＴＵを更新することにより、宛先のノードが収集した範囲内のリンクＭＴＵの数分の経路ＭＴＵの探索回数を削減できる。
【００１２】
本発明の上記パケット通信システムにおけるノードは、パケット通信システム内を移動可能な移動ノードとし、リンクＭＴＵ通知受信手段を通信ノードから移動ノードに至る経路上に存在するとともに移動ノードのローカルな移動を管理するモビリティアンカポイントのリンクＭＴＵを検索するように構成してもよい。
【００１３】
このパケット通信システムにおけるノードによれば、移動ノードの移動により経路が切り替わった際にモビリティアンカポイント（以下、ＭＡＰ［Ｍｏｂｉｌｉｔｙ　Ａｎｃｈｏｒ　Ｐｏｉｎｔ］と記載する）が増減して経路ＭＴＵが変わった場合、経路上のＭＡＰからリンクＭＴＵの情報を収集し、その各ＭＡＰのリンクＭＴＵの情報に基づいて経路ＭＴＵを設定し、その経路ＭＴＵを通信ノードに通知する。そのため、通信ノードでは、移動ノードの移動によって経路上に異なるＭＴＵを持つリンクの数が増減した場合でも、通知された経路ＭＴＵを用いて保持している経路ＭＴＵを更新すればよいので、ＭＡＰの数（異なるＭＴＵを持つリンクの数）の増加に応じて経路ＭＴＵ探索を行わなくてもよいし、また、ＭＡＰの数の減少によって経路ＭＴＵが増大又は減少してもその増減した経路ＭＴＵに迅速に更新できる。
【００１４】
本発明の上記パケット通信システムにおけるノードは、リンクＭＴＵ通知受信手段をＭＡＰからのリンクＭＴＵの通知により経路上に存在するＭＡＰのリンクＭＴＵを検索するようにし、経路ＭＴＵ設定手段をリンクＭＴＵ通知受信手段で検索したＭＡＰのリンクＭＴＵの中で最小値のリンクＭＴＵを経路ＭＴＵと設定するようにし、経路ＭＴＵ探索実行判定手段を移動ノードの移動前後における各経路ＭＴＵを比較し、移動前後で経路ＭＴＵが異なる場合に経路ＭＴＵの探索を実行すると判定するようにし、経路ＭＴＵ通知手段を経路ＭＴＵ設定手段で設定した経路ＭＴＵをバインディングアップデートメッセージ（以下、ＢＵ［ＢｉｎｄｉｎｇＵｐｄａｔｅ］メッセージと記載する）により通知するように構成してもよい。
【００１５】
このパケット通信システムにおけるノードによれば、移動ノードの移動により経路が切り替わった場合、ＭＡＰからの通知によって、切り替わった経路上のＭＡＰのリンクＭＴＵを迅速に検索でき、その検索したリンクＭＴＵの中から最小値を抽出するだけで簡単に経路ＭＴＵを設定できる。さらに、このノードでは、その移動前後の経路ＭＴＵを比較するだけで、経路ＭＴＵ探索を実行するか否かを迅速にかつ簡単に判定できる。
【００１６】
本発明に係るパケット通信システムにおける通信ノードは、ノード及びリンクから構成されるパケット通信システムにおいて、上記宛先のノードにパケットを送信する通信ノードであって、上記経路ＭＴＵ通知手段から通知された経路ＭＴＵに基づいて、自身が保持する経路ＭＴＵを更新することを特徴とする。
【００１７】
このパケット通信システムにおける通信ノードによれば、宛先のノードから通知された経路ＭＴＵによって自身が保持する経路ＭＴＵを更新することによって、その更新した経路ＭＴＵには宛先のノードで収集した経路上の各ノードのリンクのリンクＭＴＵの情報が加味されている。したがって、通信ノードでは、経路上に異なるＭＴＵを持つリンクの数に応じて経路ＭＴＵ探索を行わなくてもよい。なお、この経路ＭＴＵの更新には、通知された経路ＭＴＵによりそのまま更新する場合及び通知された経路ＭＴＵを用いて経路ＭＴＵ探索を行い、再探索した経路ＭＴＵで更新する場合を含むものとする。
【００１８】
本発明に係るパケット通信システムにおける通信ノードは、ノード及びリンクから構成されるパケット通信システムにおいて、上記移動ノードにパケットを送信する通信ノードであって、移動ノードが移動して接続先を変更した場合、上記経路ＭＴＵ通知手段から通知された経路ＭＴＵに基づいて自身が保持する経路ＭＴＵを更新し、その更新した経路ＭＴＵに基づいてパケットサイズを変更し、変更したパケットサイズからなるパケットを移動ノード宛に送信することを特徴とする。
【００１９】
このパケット通信システムにおける通信ノードによれば、移動ノードの移動により経路が切り替わった場合に経路上に異なるＭＴＵを持つリンクの数が増減しても、通知された経路ＭＴＵに基づいて自身が保持する経路ＭＴＵを更新することによって、その更新した経路ＭＴＵには移動ノードで収集したＭＡＰに接続するリンクのリンクＭＴＵの情報が加味されている。したがって、ＭＡＰの数（異なるＭＴＵを持つリンクの数）の増加に応じて経路ＭＴＵ探索回数が増加しないし、また、ＭＡＰの数の減少によって経路ＭＴＵが増加又は減少してもその増減した経路ＭＴＵに迅速に更新できる。
【００２０】
本発明に係るパケット通信システムにおけるＭＡＰは、ノード及びリンクから構成されるパケット通信システムにおいて、上記移動ノードのローカルな移動を管理するＭＡＰであって、ＭＡＰに接続するリンクのリンクＭＴＵを移動ノードに通知するリンクＭＴＵ通知手段を備えることを特徴とする。
【００２１】
このパケット通信システムにおけるＭＡＰによれば、自ノードに接続するリンクのリンクＭＴＵを移動ノードに通知するので、移動ノードでは簡単に経路上のＭＡＰのリンクＭＴＵの情報を収集できる。
【００２２】
本発明の上記パケット通信システムにおけるＭＡＰは、リンクＭＴＵ通知手段を移動ノードから送信されたＢＵメッセージに対する確認メッセージにリンクＭＴＵを付加して通知するように構成してもよい。
【００２３】
このパケット通信システムにおけるＭＡＰによれば、移動ノードではＭＡＰに対してＢＵメッセージを発行することにより、その確認メッセージによってＭＡＰのリンクＭＴＵの情報を収集できる。
【００２４】
本発明に係るパケット通信システムにおけるホームエージェント（以下、ＨＡ［Ｈｏｍｅ　Ａｇｅｎｔ］と記載する）は、ノード及びリンクから構成されるパケット通信システムにおいて、上記移動ノードのグローバルな移動を管理するＨＡであって、ＨＡが通信ノードから移動ノードに至る経路上に存在するか否か判定する経路上存在判定手段と、ＨＡに接続するリンクのリンクＭＴＵに基づいて通信ノードから移動ノードに至る経路の経路ＭＴＵを設定する経路ＭＴＵ設定手段と、経路ＭＴＵ設定手段で設定した経路ＭＴＵを通信ノードに通知する経路ＭＴＵ通知手段とを備えることを特徴とする。
【００２５】
このパケット通信システムにおけるＨＡによれば、自ノードが通信ノードから移動ノードに至る経路上に存在する場合、自ノードに接続するリンクのリンクＭＴＵに基づいて経路ＭＴＵを設定し、その経路ＭＴＵを通信ノードに通知する。そのため、通信ノードでは、経路上にＨＡが存在する場合でも、そのＨＡに接続するリンクのリンクＭＴＵに基づいて経路ＭＴＵを再探索する必要がない。
【００２６】
本発明の上記パケット通信システムにおけるＨＡは、経路ＭＴＵ設定手段を移動ノードから通知された経路ＭＴＵに基づいて経路ＭＴＵを再設定するようにし、経路ＭＴＵ通知手段を経路ＭＴＵ設定手段で設定した経路ＭＴＵを含むＩＣＭＰＰＴＢメッセージを通信ノードに送信するように構成してもよい。
【００２７】
このパケット通信システムにおけるＨＡによれば、移動ノードから通知された経路ＭＴＵ及び自ノードに接続するリンクのリンクＭＴＵに基づいて、簡単に経路ＭＴＵを設定することができる。また、通信ノードでは、経路上に異なるＭＴＵを持つリンクが多数存在しても、宛先のノードが収集した範囲内のリンクＭＴＵの数分及びＨＡのリンクＭＴＵ分の経路ＭＴＵの探索回数を削減できる。
【００２８】
本発明に係るパケット通信システムは、ノード及びリンクから構成されるパケット通信システムであって、通信ノードが送信するパケットの宛先のノードは、通信ノードから宛先のノードに至る経路上の各ノードに接続するリンクのリンクＭＴＵの通知を受信するリンクＭＴＵ通知受信手段と、リンクＭＴＵ通知受信手段で受信したリンクＭＴＵの中から、通信ノードから宛先のノードに至る経路の経路ＭＴＵを設定する経路ＭＴＵ設定手段と、経路ＭＴＵ設定手段で設定した経路ＭＴＵに基づいて、経路ＭＴＵの探索を実行するか否かを判定する経路ＭＴＵ探索実行判定手段と、経路ＭＴＵ設定手段で設定した経路ＭＴＵを通知する経路ＭＴＵ通知手段とを備え、通信ノードは、経路ＭＴＵ通知手段から通知された経路ＭＴＵに基づいて、自身が保持する経路ＭＴＵを更新することを特徴とする。
【００２９】
このパケット通信システムによれば、宛先のノードでリンクＭＴＵの情報に基づいて設定して通知した経路ＭＴＵによって、通信ノードが自身で保持している経路ＭＴＵを更新できるので、経路上に異なるＭＴＵを持つリンクが多数存在しても、通信ノードでは宛先のノードが収集した範囲内のリンクＭＴＵの数分の経路ＭＴＵの探索回数を削減できる。
【００３０】
本発明に係るパケット通信システムにおけるノードでの経路ＭＴＵ探索方法は、ノード及びリンクから構成されるパケット通信システムにおいて、通信ノードが送信するパケットの宛先のノードでの経路ＭＴＵ探索方法であって、通信ノードから宛先のノードに至る経路上の各ノードに接続するリンクのリンクＭＴＵの通知を受信するリンクＭＴＵ通知受信工程と、リンクＭＴＵ通知受信工程で受信したリンクＭＴＵの中から通信ノードから宛先のノードに至る経路の経路ＭＴＵを設定する経路ＭＴＵ設定工程と、経路ＭＴＵ設定工程で設定した経路ＭＴＵに基づいて経路ＭＴＵの探索を実行するか否かを判定する経路ＭＴＵ探索実行判定工程と、経路ＭＴＵ設定工程で設定した経路ＭＴＵを通知する経路ＭＴＵ通知工程とを含むことを特徴とする。
【００３１】
本発明の上記パケット通信システムにおけるノードでの経路ＭＴＵ探索方法は、宛先のノードをパケット通信システム内を移動可能な移動ノードとし、リンクＭＴＵ通知受信工程において移動ノードのローカルな移動を管理するＭＡＰからのリンクＭＴＵの通知により通信ノードから移動ノードに至る経路上に存在するＭＡＰのリンクＭＴＵを検索するようにし、経路ＭＴＵ設定工程においてリンクＭＴＵ通知受信工程で検索したＭＡＰのリンクＭＴＵの中で最小値のリンクＭＴＵを経路ＭＴＵと設定するようにし、経路ＭＴＵ探索実行判定工程において移動ノードの移動前後における各経路ＭＴＵを比較し、移動前後で経路ＭＴＵが異なる場合に経路ＭＴＵの探索を実行すると判定するようにし、経路ＭＴＵ通知工程において経路ＭＴＵ設定工程で設定した経路ＭＴＵをＢＵメッセージにより通知するように構成してもよい。
【００３２】
本発明に係るパケット通信システムにおける通信ノードでの経路ＭＴＵ探索方法は、ノード及びリンクから構成されるパケット通信システムにおいて、上記経路ＭＴＵ探索方法により経路ＭＴＵを通知可能なノードにパケットを送信する通信ノードでの経路ＭＴＵ探索方法であって、上記経路ＭＴＵ通知工程から通知された経路ＭＴＵに基づいて、自身が保持する経路ＭＴＵを更新する経路ＭＴＵ更新工程を含むことを特徴する。
【００３３】
本発明に係るパケット通信システムにおける通信ノードでの経路ＭＴＵ探索方法は、ノード及びリンクから構成されるパケット通信システムにおいて、上記経路ＭＴＵ探索方法により経路ＭＴＵを通知可能な移動ノードにパケットを送信する通信ノードでの経路ＭＴＵ探索方法であって、移動ノードが移動して接続先を変更した場合、経路ＭＴＵ通知工程から通知された経路ＭＴＵに基づいて自身が保持する経路ＭＴＵを更新する経路ＭＴＵ更新工程と、経路ＭＴＵ更新工程で更新した経路ＭＴＵに基づいてパケットのサイズを変更するパケットサイズ変更工程と、パケットサイズ変更工程で変更したパケットサイズからなるパケットを移動ノード宛に送信するパケット送信工程とを含むことを特徴する。
【００３４】
本発明に係るパケット通信システムにおけるＭＡＰでの経路ＭＴＵ探索方法は、ノード及びリンクから構成されるパケット通信システムにおいて、上記経路ＭＴＵ探索方法により経路ＭＴＵを通知可能な移動ノードのローカルな移動を管理するＭＡＰでの経路ＭＴＵ探索方法であって、ＭＡＰに接続するリンクのリンクＭＴＵを移動ノードに通知するリンクＭＴＵ通知工程を含むことを特徴とする。
【００３５】
本発明に係るパケット通信システムにおけるＨＡでの経路ＭＴＵ探索方法は、ノード及びリンクから構成されるパケット通信システムにおいて、上記経路ＭＴＵ探索方法により経路ＭＴＵを通知可能な移動ノードのグローバルな移動を管理するＨＡでの経路ＭＴＵ探索方法であって、ＨＡが通信ノードから移動ノードに至る経路上に存在するか否か判定する経路上存在判定工程と、移動ノードから通知された経路ＭＴＵ及びＨＡに接続するリンクのリンクＭＴＵに基づいて通信ノードから移動ノードに至る経路の経路ＭＴＵを設定する経路ＭＴＵ設定工程と、経路ＭＴＵ設定工程で設定した経路ＭＴＵを通信ノードに通知する経路ＭＴＵ通知工程とを含むことを特徴とする。
【００３６】
上記した各経路ＭＴＵ探索方法では、上記したパケット通信システムにおけるノード、通信ノード、ＭＡＰ又はＨＡと同様の作用効果を奏する。
【００３７】
【発明の実施の形態】
以下、図面を参照して、本発明に係るパケット通信システムにおけるノード、通信ノード、ＭＡＰ、ＨＡ及びパケット通信システム並びに経路ＭＴＵ探索方法の実施の形態を説明する。
【００３８】
本発明は、効率的かつ経路ＭＴＵの変化に迅速に対応可能な経路ＭＴＵ探索を実現するために、ＭＮがＣＮとの経路上に存在する各ノード（特に、ＭＡＰ）に接続するリンクのリンクＭＴＵを収集し、その収集したリンクＭＴＵの最小値を経路ＭＴＵとしてＣＮに通知する。そのために、本発明では、ＭＡＰがＭＮからのＢＵメッセージに対する確認メッセージによってリンクＭＴＵをＭＮに通知する。特に、本発明では、ＨＡがＭＮとＣＮとの経路上に存在する場合、ＨＡが自ノードに接続するリンクのリンクＭＴＵ及びＭＮから通知された経路ＭＴＵに基づいて経路ＭＴＵを再設定し、ＣＮに通知する。
【００３９】
本実施の形態では、本発明を、パケット通信システムにおけるＣＮからＭＮへのパケット送信においてＭＮの移動により経路が切り替わった場合の経路ＭＴＵの探索に適用する。本実施の形態には、２つの実施の形態があり、第１の実施の形態では経路Ａから経路Ｂに切り替わって経路上に存在するＭＡＰが増加して経路ＭＴＵが減少した場合かつ経路Ａ，Ｂ上にＨＡが存在しない場合であり、第２の実施の形態では経路Ｂから経路Ａに切り替わって経路上に存在するＭＡＰが減少して経路ＭＴＵが増加した場合かつ経路Ａ，Ｂ上にＨＡが存在する場合である。
【００４０】
まず、第１の実施の形態について説明する。図１を参照して、第１の実施の形態に係るパケット通信システム１の全体構成について説明する。図１は、第１の実施の形態に係るパケット通信システムの全体構成図である。
【００４１】
パケット通信システム１は、多数のノードとリンクからなるＩＰネットワーク上に構成されている。ノードは、各種コンピュータ、固定電話、携帯電話、これらの装置間の通信を中継するルータ等の中継装置等である。リンクは、ノード間を接続し、例えば、公衆電話回線、イーサネット（Ｒ）、ＦＤＤＩ、ＡＴＭ等である。
【００４２】
パケット通信システム１では、ＣＮ２がＭＮ３に経路Ａでデータを送信している際に、ＭＮ３が移動して接続先としてＡＲ２１からＡＲ２２に切り替え、経路Ｂに切り替わった。この際、ＣＮ２からＭＮ３に至る経路Ａには１つのＭＡＰ１１が存在し、そのＭＡＰ１１に接続するリンクのリンクＭＴＵ４３５２バイトが経路Ａの経路ＭＴＵであった。したがって、ＣＮ２は、経路ＭＴＵとして４３５２バイトを保持しており、パケットサイズ４３５２バイトでＭＮ３に対してパケットを送信していた。一方、ＣＮ２からＭＮ３に至る経路Ｂには３つのＭＡＰ１２，１３，１４が存在し、ＭＡＰ１２のリンクＭＴＵが４３５２バイト、ＭＡＰ１３のリンクＭＴＵが１５００バイト、ＭＡＰ１４のリンクＭＴＵが５７６バイト、ＭＮ３のリンクＭＴＵが５０００バイトである。ちなみに、パケット通信システム１には、ＭＮ３のグローバルな位置情報を管理するＨＡ４が存在するが、経路Ａ、経路Ｂ上に存在していなかったとする。
【００４３】
ＣＮ２は、ＭＮ３等とデータをパケット単位で送受信する通信装置であり、例えば、パーソナルコンピュータ、電話等である。ＣＮ２では、データを送信する際、その宛先のノードに至る経路の経路ＭＴＵを探索し、その経路ＭＴＵを記憶装置（図示せず）に保持している。そして、ＣＮ２では、その保持している経路ＭＴＵからなるパケットサイズでデータをパケットに分割し、パケット単位でデータを送信している。
【００４４】
特に、ＣＮ２では、ＭＮ３等のデータの宛先のノードからＩＣＭＰＰＴＢメッセージを付加したＢＵメッセージを受信すると、保持している経路ＭＴＵをＩＣＭＰＰＴＢメッセージに示されている経路ＭＴＵに更新し、更新した経路ＭＴＵを記憶装置に保持する。
【００４５】
図２及び図３も参照して、ＭＮ３について説明する。図２は、ＭＮの構成図である。図３は、ＭＮが送信するＩＣＭＰＰＴＢメッセージ付きのＢＵメッセージのフォーマットである。
【００４６】
ＭＮ３は、ＣＮ２等とデータをパケット単位で送受信する通信装置であり、かつ、ＩＰネットワーク内で移動可能な移動体であり、例えば、モバイルコンピュータ、携帯電話等である。ＭＮ３では、データを受信中に移動して経路を切り替えた場合、切り替えた経路上に存在するＭＡＰに接続するリンクのリンクＭＴＵの情報を収集し、その収集したリンクＭＴＵの最小値を経路ＭＴＵとして通信相手（ＣＮ２）に通知する。そのために、ＭＮ３は、アンテナ３ａ，送受信機３ｂ、記憶装置３ｃ及び処理装置３ｄを備えている。特に、処理装置３ｄには、リンクＭＴＵ通知受信機能３ｅ、経路ＭＴＵ設定機能３ｆ、経路ＭＴＵ探索実行判定機能３ｇ、経路ＭＴＵ通知機能３ｈが構成されている。なお、処理装置３ｄにおける各機能３ｅ〜３ｈは、専用プログラムをコンピュータで実行することによって構成される。
【００４７】
リンクＭＴＵ通知受信機能３ｅでは、移動して接続先のＡＲを切り替えて経路が切り替わった場合、ＩＰネットワークに存在するＭＡＰに対してＢＵメッセージを送受信機３ｂを用いてアンテナ３ａから送信する。そして、リンクＭＴＵ通知受信機能３ｅでは、そのＢＵメッセージを受信した各ＭＡＰからそのＢＵメッセージに対する確認メッセージをアンテナ３ａ及び送受信機３ｂを介して受信する。さらに、リンクＭＴＵ通知受信機能３ｅでは、その確認メッセージに基づいて通信相手（ＣＮ２）との経路上に存在するＭＡＰを検索し、その検索したＭＡＰからの確認メッセージからリンクＭＴＵを取得し、記憶装置３ｃに保持する。
【００４８】
経路ＭＴＵ設定機能３ｆでは、リンクＭＴＵ通知受信機能３ｅで取得して記憶装置３ｃに保持しているリンクＭＴＵ（すなわち、ＭＮ３とＣＮ２との経路上に存在するＭＡＰに接続するリンクのＭＴＵ）及びＭＮ３自身のリンクＭＴＵの中から最小値を抽出し、その最小値を経路ＭＴＵとして設定し、記憶装置３ｃに保持する。
【００４９】
経路ＭＴＵ探索実行判定機能３ｇでは、記憶装置３ｃで保持している切り替わる前の経路の経路ＭＴＵと経路ＭＴＵ設定機能３ｆで設定した切り替わった後の経路の経路ＭＴＵとを比較する。そして、経路ＭＴＵ探索実行判定機能３ｇでは、切り替わる前の経路ＭＴＵと切り替わった後の経路ＭＴＵとが異なる場合には経路ＭＴＵ探索の実行が必要と判定し、同じ場合には経路ＭＴＵ探索の実行が不要と判定する。
【００５０】
経路ＭＴＵ通知機能３ｈでは、経路ＭＴＵ探索実行判定機能３ｇで経路ＭＴＵ探索の実行が必要と判定した場合に、ＢＵメッセージにＩＣＭＰＰＴＢメッセージを付加し、そのＢＵメッセージを送受信機３ｂを用いてアンテナ３ａからＣＮ２に送信する。この際、経路ＭＴＵ通知機能３ｈでは、ＩＣＭＰＰＴＢメッセージに経路ＭＴＵ設定機能３ｆで設定した経路ＭＴＵを書き込んでいる。
【００５１】
図３に示すように、ＩＣＭＰＰＴＢメッセージを付加したＢＵメッセージは、ＩＰｖ６基本ヘッダからＨｏｍｅ　ａｄｄｒｅｓｓ　ｏｐｔｉｏｎまでのデータ構成についてはＭｏｂｉｌｅ　ＩＰｖ６で用いられるＢＵメッセージと同じフォーマットであり、更に、そのデータ構成にＩＣＭＰＰＴＢメッセージを付加したメッセージである。ＩＣＭＰＰＴＢメッセージには、経路ＭＴＵ設定機能３ｆで設定した経路ＭＴＵがＭＴＵフィールドｄ２に書き込まれている。なお、ＢＵメッセージでは、ＢＵ　ｏｐｔｉｏｎヘッダのＮｅｘｔ　Ｈｅａｄｅｒフィールドｄ１の値が２に設定されている場合にＩＣＭＰＰＴＢメッセージが付加されていることを示す。
【００５２】
なお、ＩＣＭＰＰＴＢメッセージは、経路上のノードにおいてパケットサイズが大きすぎてそのパケットを転送できない場合に送信するエラーメッセージであるが、ここでは経路ＭＴＵを通知するために用いるので、エラーメッセージとしての意味を持たない。
【００５３】
図４及び図５も参照して、ＭＡＰ１１〜１４について説明する。図４は、ＭＡＰの構成図である。図５は、ＭＡＰが送信するＩＣＭＰＰＴＢメッセージ付きの確認メッセージのフォーマットである。なお、ＭＡＰ１１〜１４は、同様の構成を有するので、ＭＡＰ１１の構成を代表して説明する。
【００５４】
ＭＡＰ１１は、ＩＰネットワーク上を流れるのデータを中継する装置であり、例えば、ルータである。また、ＭＡＰ１１では、ＭＮ３のローカルな位置情報を管理しており、ＭＮ３がＭＡＰ１１が設置されている配下の領域でローカルに取得したアドレスを登録しており、ＭＮ３宛にパケットが転送されてくると、そのパケットをＭＡＰ１１に登録されているＭＮ３のアドレス宛に転送する。その際、送信元をＭＡＰ１１、宛先を登録されているＭＮ３のアドレスとしたＩＰヘッダを転送されてきたパケットに付加する。また、ＭＡＰ１１では、ＭＮ３等からのＢＵメッセージを受信すると、そのＢＵメッセージの確認メッセージによりリンクＭＴＵを通知する。そのために、ＭＡＰ１１は、アンテナ１１ａ，送受信機１１ｂ及び処理装置１１ｃを備えている。特に、処理装置１１ｃには、リンクＭＴＵ通知機能１１ｄが構成されている。なお、処理装置１１ｃにおける機能１１ｄは、専用プログラムをコンピュータで実行することによって構成される。
【００５５】
リンクＭＴＵ通知機能１１ｄでは、アンテナ１１ａ及び送受信機１１ｂを介してＢＵメッセージを受信すると、そのＢＵメッセージの確認メッセージにＩＣＭＰＰＴＢメッセージを付加し、確認メッセージを送受信機１１ｂを用いてアンテナ１１ａからＢＵメッセージの送信元（ＭＮ３）に送信する。この際、リンクＭＴＵ通知機能１１ｄでは、ＩＣＭＰＰＴＢメッセージに自ノードに接続するリンクのリンクＭＴＵを書き込んでいる。
【００５６】
図５に示すように、ＩＣＭＰＰＴＢメッセージを付加した確認メッセージは、は、ＩＰｖ６基本ヘッダからＢＡ　ｏｐｔｉｏｎヘッダまでのデータ構成についてはＭｏｂｉｌｅ　ＩＰｖ６で用いられるＢｉｎｄｉｎｇ　ＡＣＫｎｏｗｌｅｄｇｅｍｅｎｔメッセージと同じフォーマットであり、更に、そのデータ構成にＩＣＭＰＰＴＢメッセージを付加したメッセージである。ＩＣＭＰＰＴＢメッセージには、リンクＭＴＵがＭＴＵフィールドｄ４に書き込まれている。なお、確認メッセージでは、ＢＡ　ｏｐｔｉｏｎヘッダのＮｅｘｔ　Ｈｅａｄｅｒフィールドｄ３の値が２に設定されている場合にＩＣＭＰＰＴＢメッセージが付加されていることを示す。
【００５７】
それでは、パケット通信システム１において、ＣＮ２がＭＮ３に経路Ａでデータを送信している際に、ＭＮ３が移動して、接続先としてＡＲ２１からＡＲ２２に切り替えて経路Ｂに切り替わった場合の動作について図６のフローに沿って説明する。特に、ＭＡＰ１２〜１４での動作を図７のフローチャートに沿って説明し、ＭＮ３での動作を図８のフローチャートに沿って説明する。図６は、第１の実施の形態に係るパケット通信システムにおける経路Ａから経路Ｂに切り替わったときのＭＮ、ＭＡＰ、ＣＮの動作を示すフローである。図７は、第１の実施の形態に係るＭＡＰにおける経路ＭＴＵ探索方法のフローチャートである。図８は、第１の実施の形態に係るＭＮにおける経路ＭＴＵ探索方法のフローチャートである。
【００５８】
前提として、ＣＮ２では、経路ＭＴＵ探索によって経路Ａの経路ＭＴＵ４３５３バイトを求め、記憶装置（図示せず）に保持するとともにその経路ＭＴＵに基づいてパケットを送信している。
【００５９】
ＭＮ３では、接続先をＡＲ２１からＡＲ２２に切り替えると、経路Ｂ上に存在するＭＡＰ１２〜１４のリンクＭＴＵを収集するために、ＩＰネットワーク上に存在するＭＡＰにＢＵメッセージを各々送信する（図６のＡ１０，Ａ１２，Ａ１４）。
【００６０】
ＭＡＰ１４では、ＭＮ３からのＢＵメッセージを受信すると、ＩＣＭＰＰＴＢメッセージに自ノードに接続するリンクのリンクＭＴＵ（５７６バイト）を書き込み、そのＩＣＭＰＰＴＢメッセージをＢＵメッセージの確認メッセージに付加する（図７のＳ１０）。そして、ＭＡＰ１４では、その確認メッセージをＭＮ３に送信し（図６のＡ１１）、処理を終了する（図７のＳ１０）。
【００６１】
また、ＭＡＰ１３では、ＭＮ３からのＢＵメッセージを受信すると、ＩＣＭＰＰＴＢメッセージに自ノードに接続するリンクのリンクＭＴＵ（１５００バイト）を書き込み、そのＩＣＭＰＰＴＢメッセージをＢＵメッセージの確認メッセージに付加する（図７のＳ１０）。そして、ＭＡＰ１３では、その確認メッセージをＭＮ３に送信し（図６のＡ１３）、処理を終了する（図７のＳ１０）。
【００６２】
また、ＭＡＰ１２では、ＭＮ３からのＢＵメッセージを受信すると、ＩＣＭＰＰＴＢメッセージに自ノードに接続するリンクのリンクＭＴＵ（４３５２バイト）を書き込み、そのＩＣＭＰＰＴＢメッセージをＢＵメッセージの確認メッセージに付加する（図７のＳ１０）。そして、ＭＡＰ１２では、その確認メッセージをＭＮ３に送信し（図６のＡ１５）、処理を終了する（図７のＳ１０）。
【００６３】
ＭＮ３では、各ＭＡＰから確認メッセージを受信すると、その確認メッセージに基づいて経路Ｂ上に存在するＭＡＰ１２〜１４を検索し、その検索したＭＡＰ１２〜１４からの確認メッセージからＭＡＰ１２〜１４に接続するリンクのリンクＭＴＵを各々読み込む（図８のＳ２０）。この際、ＭＮ３では、ＭＡＰ１２のリンクＭＴＵとして４３５２バイト、ＭＡＰ１３のリンクＭＴＵとして１５００バイト、ＭＡＰ１４のリンクＭＴＵとして５７６バイトを読み込む。
【００６４】
そして、ＭＮ３では、ＭＡＰ１２〜１４の各リンクＭＴＵと自ノードに接続するリンクのリンクＭＴＵ（５０００バイト）から最小値を求め、その最小値を経路ＭＴＵとして設定するとともに記憶装置３ｃに保持する（図６のＡ１６）（図８のＳ２１）。この際、ＭＮ３では、ＭＡＰ１２〜１４の各リンクＭＴＵ４３５２バイト、１５００バイト、５７６バイト及びＭＮ３のリンクＭＴＵ５０００バイトの中から５７６バイトを最小値として求め、５７６バイトを経路ＭＴＵとして設定する。
【００６５】
続いて、ＭＮ３では、設定した経路ＭＴＵと接続先をＡＲ２１からＡＲ２２に切り替える前の経路Ａの経路ＭＴＵとが異なるか否かを判定する。そして、ＭＮ３では、異なる場合には経路ＭＴＵ探索の実行を必要と判定してステップＳ２３の処理に移行し、同じ場合には経路ＭＴＵ探索の実行を不必要と判定して処理を終了する（図８のＳ２２）。この際、ＭＮ３では、切り替え前の経路ＭＴＵ４３５２バイトと設定した経路ＭＴＵ５７６バイとで異なるので、経路ＭＴＵ探索の実行が必要と判定する。
【００６６】
最後に、ＭＮ３では、経路ＭＴＵ探索の実行を必要と判定した場合、設定した経路ＭＴＵを示したＩＣＭＰＰＴＢメッセージを付加したＢＵメッセージを生成し、そのＢＵメッセージをＣＮ２に送信し（図６のＡ１７）、処理を終了する（図８のＳ２３）。この際、ＭＮ３では、ＩＣＭＰＰＴＢメッセージとして経路ＭＴＵ５７６バイトを示している。
【００６７】
ＣＮ２では、ＭＮ３からＩＣＭＰＰＴＢメッセージを付加したＢＵメッセージを受信すると、保持している経路ＭＴＵをＩＣＭＰＰＴＢメッセージに示されている経路ＭＴＵに更新し、その更新した経路ＭＴＵを記憶装置（図示せず）に保持する。そして、ＣＮ２では、更新した経路ＭＴＵに基づいて送信パケットサイズを変更してＭＮ３宛にパケット送信する。この際、ＣＮ２では、ＭＮ３から通知された経路ＭＴＵ５７６バイトを経路ＭＴＵとして再設定し、５７６バイト単位でパケットを送信する。ちなみに、ＭＡＰ１３，１４にパケットが転送されてきた場合でも、ＣＮ２ではパケットサイズを５７６バイトに更新してパケットを送信しているので、ＭＡＰ１３，１４では、そのパケットを転送可能であり、ＣＮ２に対してＩＣＭＰＰＴＢメッセージを発行しない。したがって、ＣＮ２では、経路ＭＴＵを再探索しない。
【００６８】
なお、経路上の全てのＭＡＰからリンクＭＴＵを収集できないために、ＭＮ３において経路上の一部のＭＡＰからのリンクＭＴＵに基づいて経路ＭＴＵを設定した場合、その経路上の一部のＭＡＰ以外のＭＡＰにおいてパケットを転送できないためにＣＮ２に対してＩＣＭＰＰＴＢメッセージを発行する場合がある。その場合、ＣＮ２では、その経路上の一部のＭＡＰ以外のＭＡＰからのＩＣＭＰＰＴＢメッセージを受信した場合にのみ経路ＭＴＵを再探索すればよいので、この場合でも経路ＭＴＵの再探索回数が削減する。
【００６９】
第１の実施の形態に係るパケット通信システム１によれば、ＭＮ３では通信相手のノード（ＣＮ２）との経路上に存在するＭＡＰのリンクＭＴＵの情報を収集し、その収集した範囲内の情報により経路ＭＴＵを設定してＣＮ２に通知するので、ＣＮ２では経路上で異なるＭＴＵを持つリンクが複数存在する場合でもＭＮ３で収集したＭＡＰ（リンクＭＴＵ）及びＭＮ３の数分の経路ＭＴＵの探索回数を削減できる。特に、ＭＮ３が移動して経路が切り替わった場合に経路上に存在するＭＡＰの数が増加しても、ＣＮ２では、その増加したＭＡＰの数分の経路ＭＴＵ探索を行わなくてもよいとともに、ＭＮ３から通知された経路ＭＴＵにより迅速に経路ＭＴＵを更新できる。さらに、ＣＮ２では迅速に経路ＭＴＵを更新できるので、最適なパケットサイズによりデータを送信でき、ネットワーク上の伝送効率も向上する。
【００７０】
また、第１の実施の形態に係るパケット通信システム１によれば、ＭＡＰからのＢＵメッセージに対する確認メッセージに付加されたＩＣＭＰＰＴＢメッセージによってＭＡＰに接続するリンクのリンクＭＴＵの情報を収集できるので、ＭＮ３で迅速かつ確実に経路上のリンクのリンクＭＴＵの情報を収集できる。
【００７１】
次に、第２の実施の形態について説明する。図９を参照して、第２の実施の形態に係るパケット通信システム３１の全体構成について説明する。図９は、第２の実施の形態に係るパケット通信システムの全体構成図である。第２の実施の形態では、第１の実施の形態に係るパケット通信システム１の構成と同様の構成については同一の符号を付し、その説明を省略する。
【００７２】
パケット通信システム３１は、第１の実施の形態に係るパケット通信システム１と同様に、多数のノードとリンクからなるＩＰネットワーク上に構成されている。パケット通信システム３１では、ＣＮ２がＭＮ３に至る経路Ｂでデータを送信している際に、ＭＮ３が移動して、接続先としてＡＲ２２からＡＲ２１に切り替えて経路Ａに切り替わった。この際、ＣＮ２からＭＮ３に至る経路Ｂには３つのＭＡＰ１２〜１４及びＨＡ４が存在し、そのうちのＭＡＰ１４に接続するリンクのリンクＭＴＵ５７６バイトが経路Ｂの経路ＭＴＵであった。したがって、ＣＮ２は、経路ＭＴＵとして５７６バイトを保持しており、５７６バイト単位でＭＮ３に対してパケットを送信していた。一方、ＣＮ２からＭＮ３に至る経路Ａには１つのＭＡＰ１１及びＨＡ４が存在し、ＭＡＰ１１のリンクＭＴＵが４３５２バイト、ＨＡのリンクＭＴＵが３０００バイトであり、ＭＮ３のリンクＭＴＵが５０００バイトである。
【００７３】
ＣＮ２は、第１の実施の形態と同様の構成及び動作を有するが、特に、第２の実施の形態では以下の動作も行う。ＣＮ２では、ＭＮ３宛にパケットを送信後、ＨＡ４からのＩＣＭＰＰＴＢメッセージを受信すると、第１の実施の形態でＭＮ３からのＩＣＭＰＰＴＢメッセージを付加したＢＵメッセージを受信したときと同様の動作を行う。
【００７４】
ＭＮ３は、第１の実施の形態と同様の構成及び動作を有するが、特に、第２の実施の形態では以下の動作も行う。ＭＮ３の経路ＭＴＵ通知機能３ｈでは（図２参照）、経路上にＨＡ４も存在する場合には、ＨＡ４にＩＣＭＰＰＴＢメッセージを付加したＢＵメッセージを送信する。
【００７５】
図１０も参照して、ＨＡ４について説明する。図１０は、ＨＡの構成図である。
【００７６】
ＨＡ４は、ＭＮ３のグローバルな位置情報を管理する装置であり、例えば、ルータである。ＨＡ４では、ＭＮ３がＨＡ４配下のネットワークから離脱して他のネットワークに接続している場合にＭＮ３宛にパケットが転送されてくると、そのパケットをＨＡ４に登録されているＭＮ３が現在一時取得しているアドレス宛に転送する。その際、ＨＡ４では、送信元をＨＡ４、宛先をＭＮ３が現在一時取得しているアドレスとしたＩＰヘッダを転送されてきたパケットに付加する。また、ＨＡ４は、ＭＮ３からＩＣＭＰＰＴＢメッセージが付加されたＢＵメッセージが送信された場合、ＣＮ２とＭＮ３との経路上に存在すると判断し、経路ＭＴＵを再設定してＣＮ２に通知する。そのために、ＨＡ４は、アンテナ４ａ、送受信機４ｂ及び処理装置４ｃを備えている。特に、処理装置４ｃには、経路上存在判定機能４ｄ、経路ＭＴＵ設定機能４ｅ及び経路ＭＴＵ通知機能４ｆが構成されている。なお、処理装置４ｃにおける機能４ｄ〜４ｆは、専用プログラムをコンピュータで実行することによって構成される。
【００７７】
経路上存在判定機能４ｄでは、ＭＮ３からＢＵメッセージをアンテナ４ａ及び送受信機４ｂを介して受信する。そして、経路上存在判定機能４ｄでは、ＢＵメッセージにＩＣＭＰＰＴＢメッセージが付加されている場合、自ノード（ＨＡ４）がＣＮ２とＭＮ３との経路上に存在していると判定する。なお、ＩＣＭＰＰＴＢメッセージには、ＭＮ３で設定した経路ＭＴＵが示されている。
【００７８】
経路ＭＴＵ設定機能４ｅでは、経路上存在判定機能４ｄで自ノードがＣＮ２とＭＮ３との経路上に存在していると判定した場合、ＩＣＭＰＰＴＢメッセージに示されている経路ＭＴＵと自ノードに接続しているリンクのリンクＭＴＵとを比較する。そして、経路ＭＴＵ設定機能４ｅでは、小さい値の方を経路ＭＴＵとして再設定し、記憶装置（図示せず）に保持する。
【００７９】
経路ＭＴＵ通知機能４ｆでは、経路ＭＴＵ設定機能４ｅで経路ＭＴＵを設定した場合にＭＮ３宛のパケットが転送されると、そのパケットを破棄し、ＩＣＭＰＰＴＢメッセージを送受信機４ｂを用いてアンテナ４ａからＣＮ２に送信する。この際、経路ＭＴＵ通知機能４ｆでは、ＩＣＭＰＰＴＢメッセージに経路ＭＴＵ設定機能４ｅで設定した経路ＭＴＵを書き込んでいる。なお、このＩＣＭＰＰＴＢメッセージには、図３に示すＩＣＭＰＰＴＢメッセージのデータ構成と同様のデータ構成により、経路ＭＴＵを書き込んでいる。
【００８０】
それでは、パケット通信システム３１において、ＣＮ２がＭＮ３に経路Ｂでデータを送信している際に、ＭＮ３が移動して、接続先としてＡＲ２２からＡＲ２１に切り替えて経路Ａに切り替わった場合の動作について図１１のフローに沿って説明する。特に、ＭＮ３での動作を図１２のフローチャートに沿って説明し、ＨＡ４での動作を図１３のフローチャートに沿って説明する。図１１は、第２の実施の形態に係るパケット通信システムにおける経路Ｂから経路Ａに切り替わったときのＭＮ、ＭＡＰ、ＨＡ、ＣＮの動作を示すフローである。図１２は、第２の実施の形態に係るＭＮにおける経路ＭＴＵ探索方法のフローチャートである。図１３は、第２の実施の形態に係るＨＡにおける経路ＭＴＵ探索方法のフローチャートである。
【００８１】
前提として、ＣＮ２では、経路ＭＴＵ探索によって経路Ｂの経路ＭＴＵ５７６バイトを求め、記憶装置（図示せず）に保持するとともにその経路ＭＴＵに基づいてパケットを送信している。
【００８２】
ＭＮ３では、接続先をＡＲ２２からＡＲ２１に切り替えると、経路Ａ上に存在するＭＡＰ１１からリンクＭＴＵを収集するために、ＩＰネットワーク上に存在するＭＡＰにＢＵメッセージを各々送信する（図１１のＡ２０）。
【００８３】
ＭＡＰ１１では、ＭＮ３からのＢＵメッセージを受信すると、ＩＣＭＰＰＴＢメッセージに自ノードに接続するリンクのリンクＭＴＵ（４３５２バイト）を書き込み、そのＩＣＭＰＰＴＢメッセージをＢＵメッセージの確認メッセージに付加する。そして、ＭＡＰ１１では、その確認メッセージをＭＮ３に送信する（図１１のＡ２１）。
【００８４】
ＭＮ３では、各ＭＡＰから確認メッセージを受信すると、その確認メッセージに基づいて経路Ａ上に存在するＭＡＰ１１を検索し、その検索したＭＡＰ１１からの確認メッセージからＭＡＰ１１に接続するリンクのリンクＭＴＵを読み込む（図１２のＳ３０）。この際、ＭＮ３では、ＭＡＰ１１のリンクＭＴＵとして４３５２バイトを読み込む。
【００８５】
そして、ＭＮ３では、ＭＡＰ１１のリンクＭＴＵと自ノードに接続するリンクＭＴＵ（５０００バイト）から最小値を求め、その最小値を経路ＭＴＵに設定するとともに記憶装置３ｃに保持する（図１１のＡ２２）（図１２のＳ３１）。この際、ＭＮ３では、ＭＡＰ１１のリンクＭＴＵ４３５２バイト及びＭＮ３のリンクＭＴＵ５０００バイトの中から４３５２バイトを最小値として求め、４３５２バイトを経路ＭＴＵとして設定する。
【００８６】
続いて、ＭＮ３では、設定した経路ＭＴＵと接続先をＡＲ２２からＡＲ２１に切り替える前の経路Ｂの経路ＭＴＵとが異なるか否かを判定する。そして、ＭＮ３では、異なる場合には経路ＭＴＵ探索の実行を必要と判定してステップＳ３３の処理に移行し、同じ場合には経路ＭＴＵ探索の実行を不必要と判定して処理を終了する（図１２のＳ３２）。この際、ＭＮ３では、切り替え前の経路ＭＴＵ５７６バイトと設定した経路ＭＴＵ４３５２バイとで異なるので、経路ＭＴＵ探索の実行が必要と判定する。
【００８７】
最後に、ＭＮ３では、経路ＭＴＵ探索の実行を必要と判定した場合、設定した経路ＭＴＵを示したＩＣＭＰＰＴＢメッセージを付加したＢＵメッセージを生成し、そのＢＵメッセージをＨＡ４に送信し（図１１のＡ２３）、処理を終了する（図１２のＳ３３）。この際、ＭＮ３では、ＩＣＭＰＰＴＢメッセージとして経路ＭＴＵ４３５２バイトを示している。
【００８８】
ＨＡ４では、ＭＮ３からＢＵメッセージを受信すると、ＢＵメッセージにＩＣＭＰＰＴＢメッセージが付加されているか否かを判定する（図１３のＳ４０）。そして、ＨＡ４では、ＩＣＭＰＰＴＢメッセージが付加されている場合には経路ＭＴＵを再設定するためにステップＳ４１の処理に移行し、ＩＣＭＰＰＴＢメッセージが付加されていない場合には処理に終了する（図１３のＳ４０）。
【００８９】
ＩＣＭＰＰＴＢメッセージが付加されている場合、ＨＡ４では、ＩＣＭＰＰＴＢメッセージに示されている経路ＭＴＵと自ノードに接続しているリンクのリンクＭＴＵとの最小値を経路ＭＴＵとして再設定する（図１１のＡ２４）（図１３のＳ４１）。この際、ＨＡ４では、通知された経路ＭＴＵ４３５２バイトとＨＡ４のリンクＭＴＵ３０００バイトの中から３０００バイトを最小値として求め、３０００バイトを経路ＭＴＵとして設定する。
【００９０】
最後に、ＨＡ４では、ＣＮ２からＭＮ３宛にパケットが転送されてくると（図１１のＡ２５）、再設定した経路ＭＴＵを示したＩＣＭＰＰＴＢメッセージを生成し、その生成したＩＣＭＰＰＴＢメッセージをＣＮ２に送信し（図１１のＡ２６）、処理を終了する（図１３のＳ４２）。この際、ＨＡ４では、ＩＣＭＰＰＴＢメッセージとして経路ＭＴＵ３０００バイトを示している。
【００９１】
ＣＮ２では、ＭＮ３宛にパケットを送信した後、ＨＡ４からのＩＣＭＰＰＴＢメッセージを受信すると、保持している経路ＭＴＵをＩＣＭＰＰＴＢメッセージに示されている経路ＭＴＵに更新し、その更新した経路ＭＴＵを記憶装置（図示せず）に保持する。そして、ＣＮ２では、更新した経路ＭＴＵに基づいて送信パケットサイズを変更してＭＮ３宛にパケット送信する。この際、ＣＮ２では、ＨＡ４から通知された経路ＭＴＵ３０００バイトを経路ＭＴＵとして再設定し、３０００バイト単位でパケットを送信する。ちなみに、経路Ｂから経路Ａに切り替わって経路ＭＴＵが５７６バイトから３０００バイトに増加しても、ＣＮ２では、ＨＡ４からのＩＣＭＰＰＴＢメッセージにより経路ＭＴＵを更新しているので、経路ＭＴＵを再探索する必要がない。したがって、経路ＭＴＵの再探索を行うまでの１０分間を待つことなく、増加した経路ＭＴＵに応じたパケットサイズによりパケットが送信されるので、ネットワーク上の伝送効率が良い。
【００９２】
第２の実施の形態に係るパケット通信システム３１によれば、第１の実施の形態での効果に加えて、ＣＮ２とＭＮ３との経路上にＨＡ４が存在した場合でも、ＨＡ４で自ノードのリンクＭＴＵの情報も考慮して経路ＭＴＵを再設定するので、ＣＮ２ではＨＡ４のリンクＭＴＵを考慮した経路ＭＴＵを探索しなくてもよい。特に、ＭＮ３が移動して経路が切り替わった場合に経路ＭＴＵが増加しても、ＣＮ２では、通知された経路ＭＴＵにより迅速に経路ＭＴＵを更新できる。
【００９３】
以上、本発明に係る実施の形態について説明したが、本発明は上記実施の形態に限定されることなく様々な形態で実施される。
例えば、本実施の形態では経路Ａと経路Ｂとの間で経路を１回切り替える場合に適用したが、ＭＮが移動して接続先のＡＲを次々と切り替えて経路が次々と切り替わった場合にも適用可能であり、その場合には切り替わる毎に経路ＭＴＵをＣＮに通知する。
また、本実施の形態では経路上の全てのＭＡＰからリンクＭＴＵの情報を収集できた場合について適用したが、経路上のＭＡＰがリンクＭＴＵ通知機能を備えていない等によって経路上の一部のＭＡＰからリンクＭＴＵの情報を収集できない場合でも適用可能であり、その一部のＭＡＰからＩＣＭＰＰＴＢメッセージが送信された場合にはＣＮではＭＮから通知された経路ＭＴＵとその経路上の収集できなかった一部のＭＡＰのリンクＭＴＵに基づいて経路ＭＴＵを探索すればよい。
また、本実施の形態ではＨＡではＩＣＭＰＰＴＢメッセージにより経路ＭＴＵを通知したが、ＩＣＭＰＰＴＢメッセージを付加したＢＵメッセージにより経路ＭＴＵを通知してもよい。
【００９４】
【発明の効果】
本発明によれば、宛先のノードで経路上のノードから収集したリンクＭＴＵの情報に基づいて経路ＭＴＵを設定し、通信ノードに通知するので、経路上に異なるＭＴＵを持つリンクが複数存在した場合でも、通信ノードではその通知された経路ＭＴＵにより最終的な経路ＭＴＵを探索するまでの経路ＭＴＵ探索回数を削減できる。特に、宛先のノードが移動して経路が切り替わった場合、経路上のノードが増加してもその増加に応じて経路ＭＴＵ探索回数が増加しないし、経路ＭＴＵが増減しても経路ＭＴＵを迅速に更新できる。そのため、本発明では、非常に効率的かつ経路ＭＴＵの変化に迅速に対応して経路ＭＴＵ探索を行うことできる。
【００９５】
また、本発明によれば、モビリティアンカポイントがバインディングアップデートメッセージに対する確認メッセージによりリンクＭＴＵの情報を通知するので、宛先のノードでは迅速かつ確実にリンクＭＴＵの情報を収集できる。
【００９６】
また、本発明によれば、ホームエージェントで自ノードのリンクＭＴＵを考慮して経路ＭＴＵを再設定して通信ノードに通知するので、ホームエージェントが経路上に存在する場合でも、通信ノードでおいてホームエージェントのリンクＭＴＵを考慮して経路ＭＴＵを再探索しなくてよい。
【図面の簡単な説明】
【図１】本発明の第１の実施の形態に係るパケット通信システムの全体構成図である。
【図２】図１の移動ノードの構成図である。
【図３】図１の移動ノードが送信するＩＣＭＰＰＴＢメッセージ付きのＢＵメッセージのフォーマットである。
【図４】図１のモビリティアンカポイントの構成図である。
【図５】図１のモビリティアンカポイントが送信するＩＣＭＰＰＴＢメッセージ付きの確認メッセージのフォーマットである。
【図６】本発明の第１の実施の形態に係るパケット通信システムにおける経路Ａから経路Ｂに切り替わったときの移動ノード、、通信ノードの動作を示すフローである。
【図７】本発明の第１の実施の形態に係るモビリティアンカポイントにおける経路ＭＴＵ探索方法のフローチャートである。
【図８】本発明の第１の実施の形態に係る移動ノードにおける経路ＭＴＵ探索方法のフローチャートである。
【図９】本発明の第２の実施の形態に係るパケット通信システムの全体構成図である。
【図１０】図９のホームエージェントの構成図である。
【図１１】本発明の第２の実施の形態に係るパケット通信システムにおける経路Ｂから経路Ａに切り替わったときの移動ノード、、ホームエージェント、通信ノードの動作を示すフローである。
【図１２】本発明の第２の実施の形態に係る移動ノードにおける経路ＭＴＵ探索方法のフローチャートである。
【図１３】本発明の第２の実施の形態に係るホームエージェントにおける経路ＭＴＵ探索方法のフローチャートである。
【図１４】従来のパケット通信システムの全体構成図である。
【符号の説明】
１，３１…パケット通信システム、２…通信相手のノード（通信ノード）、３…移動ノード、３ａ…アンテナ、３ｂ…送受信機、３ｃ…記憶装置、３ｄ…処理装置、３ｅ…リンクＭＴＵ通知受信機能、３ｆ…経路ＭＴＵ設定機能、３ｇ…経路ＭＴＵ探索実行判定機能、３ｈ…経路ＭＴＵ通知機能、４…ホームエージェント、４ａ…アンテナ、４ｂ…送受信機、４ｃ…処理装置、４ｄ…経路上存在判定機能、４ｅ…経路ＭＴＵ設定機能、４ｆ…経路ＭＴＵ通知機能、１１，１２，１３，１４…モビリティアンカポイント、１１ａ…アンテナ、１１ｂ…送受信機、１１ｃ…処理装置、１１ｄ…リンクＭＴＵ通知機能、２１，２２…アクセスルータ
【図１】
2004048181.tif 000003
【図２】
2004048181.tif 000004
【図３】
2004048181.tif 000005
【図４】
2004048181.tif 000006
【図５】
2004048181.tif 000007
【図６】
2004048181.tif 000008
【図７】
2004048181.tif 000009
【図８】
2004048181.tif 000010
【図９】
2004048181.tif 000011
【図１０】
2004048181.tif 000012
【図１１】
2004048181.tif 000013
【図１２】
2004048181.tif 000014
【図１３】
2004048181.tif 000015
【図１４】
2004048181.tif 000016